(57)【要約】【課題】患者の睡眠中にナースコールの呼び出しが誤って行われないようにすることができるようにする。【解決手段】患者の瞼の開閉状態を特定する特定部４１と、現在時刻に基づいて睡眠時間中であるか否かを判断する判断部４２と、特定部４１によって瞼が閉じている状態が所定時間以上継続して特定された場合、ナースコールの呼び出しを行う呼出部４３とを備え、呼出部４３は、睡眠時間中にあると判断された場合は、瞼が閉じている状態が所定時間以上継続して特定された場合であっても、ナースコールの呼び出しを行わないことにより、睡眠時間外に、患者の瞼が閉じたままとなっていれば、ナースコールの呼び出しが行われるようにし、睡眠時間中であれば、患者の瞼が閉じたままとなっていたとしても、ナースコールの呼び出しが行われないようにする。【選択図】図２
2016154638.tif 000002
【特許請求の範囲】
【請求項１】
患者の瞼の開閉状態を特定する特定部と、
現在時刻に基づいて睡眠時間中であるか否かを判断する判断部と、
前記特定部によって前記瞼が閉じている状態が所定時間以上継続して特定された場合、ナースコールの呼び出しを行う呼出部と
を備え、
前記呼出部は、前記判断部によって前記睡眠時間中であると判断された場合は、前記特定部によって前記瞼が閉じている状態が所定時間以上継続して特定された場合であっても、前記ナースコールの呼び出しを行わない
ことを特徴とするナースコールシステム。
【請求項２】
前記呼出部は、前記判断部によって前記睡眠時間中であると判断された場合において、前記特定部によって前記瞼が開いている状態が所定時間以上継続して特定された場合、前記ナースコールの呼び出しを行う
ことを特徴とする請求項１に記載のナースコールシステム。
【請求項３】
前記瞼の開閉状態を検出する検出部をさらに備え、
前記特定部は、前記検出部から出力された情報に基づいて、前記瞼の開閉状態を特定する
ことを特徴とする請求項１または２に記載のナースコールシステム。
【請求項４】
患者の瞼の開閉状態を特定する特定部と、
現在時刻に基づいて睡眠時間中であるか否かを判断する判断部と、
前記特定部によって前記瞼が閉じている状態が所定時間以上継続して特定された場合、ナースコールの呼び出しを行う呼出部と
を備え、
前記呼出部は、前記判断部によって前記睡眠時間中であると判断された場合は、前記特定部によって前記瞼が閉じている状態が所定時間以上継続して特定された場合であっても、前記ナースコールの呼び出しを行わない
ことを特徴とするナースコール子機。
【発明の詳細な説明】
【技術分野】
【０００１】
本発明は、ナースコールの呼び出しを行うことができるようになされたナースコールシステムおよびナースコール子機に関する。
【背景技術】
【０００２】
一般に、病院や介護施設などでは、患者や被介護者（以下、単に「患者」と言う）と医師や看護師、介護師（以下、単に「看護師」と言う）との連絡に、ナースコールシステムが用いられている。この種のナースコールシステムにおいて、患者がナースコール子機の呼出ボタンを押下して呼び出しを行うと、呼び出しが行われたことがナースコール親機にて報知される。
【０００３】
しかしながら、手が不自由な患者は、ナースコール子機の呼出ボタンを押下することができない。そこで、このような患者のために、呼出ボタンを押下する方法以外の方法によって、ナースコールの呼び出しを行うことができるようにした技術が考案されている。
【０００４】
例えば、下記特許文献１には、瞬きセンサによって検出された瞬きの回数、瞼を閉じている時間、瞬きの間隔を判断基準として、ナースコールの呼び出しを行うことができるようにした技術が開示されている。この技術によれば、手が不自由な患者であっても、所定の瞬き動作を行うことによってナースコールの呼び出しを行うことができるようになる。以降では、このように患者の自らの意思によってナースコールの呼び出しを行うことを「第１の用途」と示す。
【０００５】
また、下記特許文献１に開示されている技術を利用して、患者の異常状態を検出してナースコールの呼び出しを行うようにすることもできる。例えば、瞼が所定時間以上閉じられていることを検出した場合、これを患者の容態が悪化した異常状態としてナースコールの呼び出しを行うようにすることもできる。以降では、このように患者の異常状態を検出してナースコールの呼び出しを行うことを「第２の用途」と示す。
【先行技術文献】
【特許文献】
【０００６】
【特許文献１】特開２００４−２７５５２７号公報
【発明の概要】
【発明が解決しようとする課題】
【０００７】
しかしながら、従来のナースコールシステムでは、上記した第１の用途または第２の用途のいずれに使用する場合であっても、瞼を閉じている時間によりナースコールの呼び出しを行うようにすると、誤報が発生するという問題が生じる。すなわち、患者が単に睡眠しているだけであっても、瞼を閉じている時間が所定時間を超えてしまうと、ナースコールの呼び出しが誤って行われてしまうといった問題が生じてしまう。
【０００８】
本発明は、このような問題を解決するために成されたものであり、患者の睡眠中にナースコールの呼び出しが誤って行われないようにすることを目的とする。
【課題を解決するための手段】
【０００９】
上記した課題を解決するために、本発明では、患者の瞼が閉じている状態が所定時間以上継続して特定された場合、ナースコールの呼び出しを行うようにしている。但し、現在時刻に基づいて睡眠時間中にあると判断された場合は、瞼が閉じている状態が所定時間以上継続して特定された場合であっても、ナースコールの呼び出しを行わないようにしている。
【発明の効果】
【００１０】
上記のように構成した本発明によれば、睡眠時間外に、患者が瞼を閉じたままにしていれば、ナースコールの呼び出しが行われる。一方、睡眠時間中であれば、患者が瞼を閉じたままにしていても、ナースコールの呼び出しが行われない。患者が単に睡眠しているだけである可能性が高いからである。これにより、睡眠時間中にナースコールの呼び出しが誤って行われないようにすることができる。
【図面の簡単な説明】
【００１１】
【図１】本発明の一実施形態に係るナースコールシステムの全体構成例を示す図である。
【図２】本発明の一実施形態に係るナースコール子機の機能構成例を示すブロック図である。
【図３】本発明の一実施形態に係る睡眠時間特定情報および呼出条件の一例を示す図である。
【図４】本発明の一実施形態に係るナースコール子機による処理の手順を示すフローチャートである。
【発明を実施するための形態】
【００１２】
以下、本発明の一実施形態を図面に基づいて説明する。
【００１３】
〔ナースコールシステムの全体構成〕
図１は、本実施形態に係るナースコールシステムの全体構成例を示す図である。なお、ここでは病院に設置される看護支援用のナースコールシステムを例にとって説明するが、本実施形態のナースコールシステムは、病院に設置されるものに限定されない。例えば、介護施設等に設置される場合にも適用可能である。
【００１４】
図１に示すように、本実施形態に係るナースコールシステムは、ナースコール親機１、制御機２、廊下灯３、壁埋込形子機４、瞼開閉センサ５を備えて構成されている。このうち、壁埋込形子機４および瞼開閉センサ５は、ナースコール子機を構成している。
【００１５】
ナースコール親機１は、患者（ナースコール子機）からの呼び出しを受けて所定の報知処理を行うものであり、例えばナースセンタに設置される。ナースコール親機１は、この報知処理を行うためのディスプレイ１ｂを備えている。ディスプレイ１ｂは、ナースコール親機１に一体として備えられている。
【００１６】
制御機２は、ナースコール親機１と廊下灯３との間に配置され、通話やデータの送受信に関する制御を行う。廊下灯３は、病室内の患者名が表示されるとともに、病室内の患者が看護師の呼び出しを行うと、呼び出しが行われたことが表示されるようになっている。
【００１７】
壁埋込形子機４は、病室の各ベッドサイドの壁に埋め込み設置される。この壁埋込形子機４は、廊下灯３に接続されている。壁埋込形子機４は、患者が看護師を呼び出すための呼出ボタン、患者が看護師と会話を行う際に使用するマイクおよびスピーカ、瞼開閉センサ５を接続するための接続端子を備えている。
【００１８】
瞼開閉センサ５は、壁埋込形子機４に接続される。瞼開閉センサ５は、患者の瞼の開閉状態を検出し、その結果として、患者の瞼の開閉状態を示す情報を壁埋込形子機４へ出力する。瞼開閉センサ５は、患者の瞼の開閉状態の検出と、患者の瞼の開閉状態を示す情報の出力とを、所定の間隔（例えば、１秒間隔）で繰り返し行う。瞼開閉センサ５としては、例えば、眼の周囲の電位差を検出するもの、眼からの反射光の強度を検出するもの等が挙げられる。
【００１９】
壁埋込形子機４は、瞼開閉センサ５から出力された患者の瞼の開閉状態を示す情報に基づいて、ナースコールの呼び出しが必要であるか否かを判断する。そして、壁埋込形子機４は、ナースコールの呼び出しが必要であると判断した場合には、ナースコールの呼び出しを行う。
【００２０】
〔ナースコール子機の機能構成〕
図２は、本実施形態に係るナースコール子機の機能構成例を示すブロック図である。ここでは、本発明を上述した第２の用途（すなわち、患者の異常状態を検出してナースコールの呼び出しを行うため）に使用する例を説明する。図２に示すように、本実施形態に係るナースコール子機は、記憶部４０、特定部４１、判断部４２および呼出部４３を、壁埋込形子機４に備えている。また、本実施形態に係るナースコール子機において、瞼開閉センサ５は、患者の瞼の開閉状態を検出する検出部として機能する。
【００２１】
なお、上記各機能ブロック４１〜４３は、ハードウェア構成、ＤＳＰ、ソフトウェアの何れによっても実現することが可能である。例えばソフトウェアによって実現する場合、上記各機能ブロック４１〜４３は、実際にはコンピュータのＣＰＵあるいはＭＰＵ、ＲＡＭ、ＲＯＭなどを備えて構成され、ＲＡＭ、ＲＯＭ、ハードディスク、半導体メモリ等に記憶されたプログラムが動作することによって実現できる。
【００２２】
記憶部４０は、患者の睡眠時間を特定するための情報（以下、「睡眠時間特定情報」と示す）と、ナースコールの呼び出しを行う条件（以下、「呼出条件」と示す）とを記憶する。睡眠時間特定情報および呼出条件の詳細については、図３を用いて後述する。
【００２３】
特定部４１は、瞼開閉センサ５から出力された患者の瞼の開閉状態を示す情報に基づいて、患者の瞼の開閉状態を特定する。本実施形態では、瞼開閉センサ５は、患者の瞼の開閉状態を示す情報を繰り返し出力する。これに応じて、特定部４１は、患者の瞼の開閉状態を繰り返し特定する。
【００２４】
判断部４２は、現在時刻に基づいて睡眠時間中であるか否かを判断する。例えば、判断部４２は、壁埋込形子機４の内蔵時計（図示省略）から、現在時刻を特定する。そして、判断部４２は、記憶部４０に記憶されている睡眠時間特定情報（図３参照）を参照することにより、現在時刻が睡眠時間中であるか否かを判断する。
【００２５】
呼出部４３は、記憶部４０に記憶されている呼出条件に従って、ナースコールの呼び出しを行う。
【００２６】
具体的には、呼出部４３は、判断部４２によって睡眠時間中にないと判断された場合、記憶部４０に記憶されている睡眠時間外の呼出条件に従って、特定部４１によって瞼が閉じている状態が所定時間（例えば、１０秒）以上継続して特定された場合、ナースコールの呼び出しを行う。
【００２７】
また、呼出部４３は、判断部４２によって睡眠時間中にないと判断された場合、記憶部４０に記憶されている睡眠時間外の呼出条件に従って、特定部４１によって瞼が開いている状態が所定時間以上継続して特定された場合であっても、ナースコールの呼び出しを行わない。このとき、呼出部４３は、患者の瞼が開いているときに、瞬き等によって瞬間的に瞳が閉じられたとしても、「瞼が開いている状態が継続している」と判断することが好ましい。
【００２８】
一方、呼出部４３は、判断部４２によって睡眠時間中にあると判断された場合、記憶部４０に記憶されている睡眠時間中の呼出条件に従って、特定部４１によって瞼が閉じている状態が所定時間以上継続して特定された場合であっても、ナースコールの呼び出しを行わない。
【００２９】
さらに、呼出部４３は、判断部４２によって睡眠時間中にあると判断された場合、記憶部４０に記憶されている睡眠時間中の呼出条件に従って、特定部４１によって瞼が開いている状態が所定時間（例えば、１０秒）以上継続して特定された場合、ナースコールの呼び出しを行う。このとき、呼出部４３は、患者の瞼が開いているときに、瞬き等によって瞬間的に瞳が閉じられたとしても、「瞼が開いている状態が継続している」と判断することが好ましい。
【００３０】
呼出部４３によるナースコールの呼び出しがなされると、壁埋込形子機４から廊下灯３および制御機２を介して、ナースコールの呼出信号がナースコール親機１へ送信される。ナースコール親機１は、ナースコールの呼出信号を受信すると、所定の報知処理を行う。所定の報知処理とは、例えば、所定の呼出メッセージをディスプレイ１ｂに表示したり、所定の呼出音をスピーカから鳴らしたりすることである。この報知を受けた看護師は、患者のもとに駆けつけて、この呼び出しに対する対応を行う。
【００３１】
〔睡眠時間特定情報および呼出条件の一例〕
図３は、本発明の一実施形態に係る睡眠時間特定情報および呼出条件の一例を示す図である。本実施形態では、患者毎に、その患者が使用する壁埋込形子機４の記憶部４０に対し、その患者用の睡眠時間特定情報および呼出条件が設定されている。図３は、ある患者用の睡眠時間特定情報および呼出条件を一例として示すものである。
【００３２】
図３（ａ）に示す睡眠時間特定情報では、睡眠時間中とする時間帯および睡眠時間外とする時間帯が設定されている。例えば、図３（ａ）に示す例では、「８：００〜２０：００」を睡眠時間外とし、「２０：００〜８：００」を睡眠時間中とする設定がなされている。この睡眠時間特定情報は、判断部４２によって参照され、現在時刻に基づいて睡眠時間中であるか否かを判断する処理に用いられる。
【００３３】
一方、図３（ｂ）では、睡眠時間中および睡眠時間外の各々に対し、ナースコールの呼出条件が設定されている。これらの呼出条件は、呼出部４３によって参照され、ナースコールの呼び出しを行うか否かの判断処理に用いられる。例えば、図３（ｂ）に示す例では、睡眠時間外の呼出条件を「瞼が１０秒以上閉じている」とし、睡眠時間中の呼出条件を「瞼が１０秒以上開いている」とする設定がなされている。これに従い、呼出部４３は、患者が睡眠時間外（８：００〜２０：００）に瞼を１０秒以上閉じていた場合、ナースコールの呼び出しを行う。また、呼出部４３は、患者が睡眠時間中（２０：００〜８：００）に瞼を１０秒以上開いていた場合、ナースコールの呼び出しを行う。
【００３４】
〔ナースコール子機による処理の手順〕
図４は、本発明の一実施形態に係るナースコール子機による処理の手順を示すフローチャートである。図４に例示する処理は、例えば、患者を監視対象としている間、その患者のナースコール子機によって繰り返し実行される。
【００３５】
まず、判断部４２が、現在時刻と記憶部４０に記憶されている睡眠時間特定情報とに基づいて睡眠時間中であるか否かを判断する（ステップＳ４０２）。ここで、睡眠時間中であると判断部４２が判断した場合（ステップＳ４０２：Ｙｅｓ）、ナースコール子機は、ステップＳ４０４へ処理を進める。一方、睡眠時間中ではないと判断部４２が判断した場合（ステップＳ４０２：Ｎｏ）、ナースコール子機は、ステップＳ４１２へ処理を進める。
【００３６】
ステップＳ４０４では、瞼開閉センサ５が、患者の瞼の開閉状態を検出する。そして、特定部４１が、瞼開閉センサ５から出力された情報に基づいて、患者の瞼の開閉状態を特定する（ステップＳ４０６）。さらに、呼出部４３が、ステップＳ４０６の特定結果に基づいて、患者の瞼が開いているか否かを判断する（ステップＳ４０８）。ここで、患者の瞼が開いていると呼出部４３が判断した場合（ステップＳ４０８：Ｙｅｓ）、呼出部４３が、患者の瞼が開いている状態が所定時間以上継続しているか否か（すなわち、記憶部４０に記憶されている睡眠時間中の呼出条件を満たしているか否か）を判断する（ステップＳ４１０）。
【００３７】
そして、患者の瞼が開いている状態が所定時間以上継続していると呼出部４３が判断した場合（ステップＳ４１０：Ｙｅｓ）、呼出部４３が、ナースコールの呼び出しを行う（ステップＳ４２０）。そして、ナースコール子機は、図４に示す一連の処理を終了する。一方、患者の瞼が開いていないと呼出部４３が判断した場合（ステップＳ４０８：Ｎｏ）、または、患者の瞼が開いている状態が所定時間以上継続していないと呼出部４３が判断した場合（ステップＳ４１０：Ｎｏ）、ナースコール子機は、ステップＳ４０４以降の処理を再度実行する。
【００３８】
ステップＳ４１２では、瞼開閉センサ５が、患者の瞼の開閉状態を検出する。そして、特定部４１が、瞼開閉センサ５から出力された情報に基づいて、患者の瞼の開閉状態を特定する（ステップＳ４１４）。さらに、呼出部４３が、ステップＳ４１４の特定結果に基づいて、患者の瞼が閉じているか否かを判断する（ステップＳ４１６）。ここで、患者の瞼が閉じていると呼出部４３が判断した場合（ステップＳ４１６：Ｙｅｓ）、呼出部４３が、患者の瞼が閉じている状態が所定時間以上継続しているか否か（すなわち、記憶部４０に記憶されている睡眠時間外の呼出条件を満たしているか否か）を判断する（ステップＳ４１８）。
【００３９】
そして、患者の瞼が閉じている状態が所定時間以上継続していると呼出部４３が判断した場合（ステップＳ４１８：Ｙｅｓ）、呼出部４３が、ナースコールの呼び出しを行う（ステップＳ４２０）。そして、ナースコール子機は、図４に示す一連の処理を終了する。一方、患者の瞼が閉じていないと呼出部４３が判断した場合（ステップＳ４１６：Ｎｏ）、または、患者の瞼が閉じている状態が所定時間以上継続していないと呼出部４３が判断した場合（ステップＳ４１８：Ｎｏ）、ナースコール子機は、ステップＳ４１２以降の処理を再度実行する。
【００４０】
以上説明したように、本実施形態では、睡眠時間特定情報に設定されている睡眠時間外に、患者の瞼が閉じたままになっていると、ナースコールの呼び出しが行われる。これにより、患者の容態が悪化した異常状態を報知することができる。一方、睡眠時間特定情報に設定されている睡眠時間中であれば、患者の瞼が閉じたままになっていても、ナースコールの呼び出しが行われない。患者が単に睡眠しているだけである可能性が高いからである。これにより、患者の睡眠中にナースコールの呼び出しが誤って行われないようにすることができる。
【００４１】
さらに、本実施形態では、睡眠時間特定情報に設定されている睡眠時間中に、患者が瞼を開いたままにしていれば、ナースコールの呼び出しが行われる。これにより、睡眠時間中に患者が眠れないといった異常状態を報知することができる。
【００４２】
なお、上記実施形態では、瞼開閉センサ５から出力された情報に基づいて、患者の瞼の開閉状態を特定するようにしているが、本発明はこれに限らない。例えば、患者の目が写し出されている画像に基づいて、患者の瞼の開閉状態を特定するようにしてもよい。
【００４３】
また、上記実施形態では、患者個別の睡眠時間特定情報を壁埋込形子機４の記憶部４０に記憶させるようにしているが、本発明はこれに限らない。例えば、複数の患者に共通の睡眠時間特定情報を、記憶部４０または外部装置（例えば、サーバ装置）に記憶させるようにしてもよい。
【００４４】
また、上記実施形態では、患者個別の呼出条件を壁埋込形子機４の記憶部４０に記憶させるようにしているが、本発明はこれに限らない。例えば、複数の患者に共通の呼出条件を、記憶部４０または外部装置（例えば、サーバ装置）に記憶させるようにしてもよい。
【００４５】
また、上記実施形態において、睡眠時間特定情報には、複数の睡眠時間が設定されていてもよい。例えば、昼間の時間帯の睡眠時間と、夜間の時間帯の睡眠時間とを、睡眠時間特定情報に設定するようにしてもよい。
【００４６】
また、上記実施形態では、睡眠時間特定情報を予め記憶部４０に記憶させておくようにしているが、本発明はこれに限らない。例えば、患者が実際に睡眠を開始するときに看護師が壁埋込形子機４に対して所定の設定操作を行うことで、患者が睡眠を行っている間、その旨を示すフラグを睡眠時間特定情報として、記憶部４０に記憶させておくようにしてもよい。
【００４７】
また、上記実施形態において壁埋込形子機４が備えることとした機能の少なくとも一部を、ナースコールシステムが備える他の装置が備えるようにしてもよい。例えば、図２の機能ブロック４０〜４３をナースコール親機１に設けるとともに、瞼開閉センサ５からナースコール親機１へ患者の瞼の開閉状態を示す情報を送信するようにして、図４に示した処理をナースコール親機１が行うようにしてもよい。また、図２の機能ブロック４０〜４３を瞼開閉センサ５に設けることにより、図４に示した処理を瞼開閉センサ５が行うようにしてもよい。また、図２の機能ブロック４０〜４３を備えた専用の子機を壁埋込形子機４と瞼開閉センサ５との間に設置して、図４に示した処理をこの子機が行うようにしてもよい。
【００４８】
また、上記実施形態では、本発明を上記した第２の用途（すなわち、患者の異常状態の検出による呼び出し）のために用いているが、本発明を上記した第１の用途（すなわち、患者の意思による呼び出し）のために用いて実施するようにしてもよい。すなわち、睡眠時間外のときに、患者が自らの意思で所定時間以上瞼を閉じていた場合、ナースコールの呼び出しを行うようにしてもよい。また、睡眠時間中のときに、患者が自らの意思で所定時間以上瞼を開いていた場合、ナースコールの呼び出しを行うようにしてもよい。
【００４９】
また、上記実施形態において、上記した第１の用途のための呼出条件と、上記した第２の用途のための呼出条件とをそれぞれ記憶部４０に記憶させておき、いずれを使用するかを看護師が壁埋込形子機４の操作により選択して切り替えることができるようにしてもよい。
【００５０】
その他、上記実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５１】
１  ナースコール親機
２  制御機
３  廊下灯
４  壁埋込形子機
５  瞼開閉センサ（検出部）
４０  記憶部
４１  特定部
４２  判断部
４３  呼出部
【図１】
2016154638.tif 000003
【図２】
2016154638.tif 000004
【図３】
2016154638.tif 000005
【図４】
2016154638.tif 000006